(57)【特許請求の範囲】
【請求項１】
液透過性の肌当接面と、液不透過性の非肌当接面と、該肌当接面及び該非肌当接面の間に介在された吸収部とを備え、実質的に縦長に形成されてなる吸収性物品において、
上記吸収性物品の長手方向中央部から装着時に装着者の後ろ側に配置される後方部にかけて、上記肌当接面に、該後方部の端縁に近づくに従い該後方部の側縁に近接する立体溝が形成されており、
上記立体溝は、上記端縁及び上記側縁から離間して配置されており、上記長手方向中央部において前方へ向けて凸状の凸状部を備えている
ことを特徴とする吸収性物品。
【請求項２】
上記立体溝は、上記凸状部の曲率半径が５〜２０ｍｍであることを特徴とする請求項１に記載の吸収性物品。
【請求項３】
装着時に装着者の体液排泄部に当接される排泄部当接部の上記肌当接面に、上記吸収性物品の長手方向に形成された一対の中央溝を有していることを特徴とする請求項１又は２記載の吸収性物品。
【発明の詳細な説明】
【０００１】
【発明の属する技術分野】
本発明は、生理用ナプキンや失禁パッド等の吸収性物品に関し、更に詳細には、防漏性に優れた吸収性物品に関する。
【０００２】
【従来の技術及び発明が解決しようとする課題】
生理用ナプキン、失禁用パッド、パンティーライナー、紙オムツ等、人間の股間に装着され体液を吸収する吸収性物品は、従来より種々提案されている。このような吸収性物品は、夜間等には、装着時に装着者の後ろ側に配置される後方部において漏れが発生しやすい。
【０００３】
そのため、従来より、吸収性物品の後方部を装着者に良好にフィットさせて後方部における漏れを回避する技術として、実開昭５８−１３２２５号公報に記載の技術や、実公昭６３−４４０３４号公報に記載の技術が提案されている。実開昭５８−１３２２５号公報に記載の技術において、吸収性物品の吸収体の後方部の幅方向中央部に、該吸収体の後方部の端縁に至るスリットを設けている。また、実公昭６３−４４０３４号公報に記載の技術においては、吸収性物品の装着時に装着者の後ろ側に配置される後方部の肌当接面側に幅方向中央の１点から該吸収性物品の長手方向に沿う立体溝及び上記１点から左右側縁に近づきながら該後方部の端縁に亘る立体溝を設けている。
【０００４】
しかし、上述のような技術においても、十分なフィット性が得られずに後方部からの漏れが発生する場合がある。
また、立体溝やスリットが後方部の端縁に至るように形成されているので、体液がこの立体溝やスリットを伝わって後方部の端縁から漏れ出やすくなるおそれがある。
更に、実開昭５８−１３２２５号公報に記載の技術においては、スリットが吸収体のみに設けられているので、表面シートが吸収体から浮き上がって体液が吸収体に吸収されずに表面シート上を伝って漏れ出るおそれがある。
【０００５】
従って、本発明の目的は、装着時にフィット性に優れた所定の形状となり、漏れ防止性に優れた吸収性物品を提供することにある。
【０００６】
【課題を解決するための手段】
本発明者等は、上記課題を解消するために鋭意検討した結果、特定の形状の立体溝を特定の配置で設けた吸収性物品が上記目的を達成しうることを知見した。
【０００７】
本発明は、上記知見に基づきなされたもので、液透過性の肌当接面と、液不透過性の非肌当接面と、該肌当接面及び該非肌当接面の間に介在された吸収部とを備え、実質的に縦長に形成されてなる吸収性物品において、上記吸収性物品の長手方向中央部から装着時に装着者の後ろ側に配置される後方部にかけて、上記肌当接面に、該後方部の端縁に近づくに従い該後方部の側縁に近接する立体溝が形成されており、上記立体溝は、上記端縁及び上記側縁から離間して配置されており、上記長手方向中央部において前方へ向けて凸状の凸状部を備えていることを特徴とする吸収性物品を提供するものである。
【０００８】
【発明の実施の形態】
以下、本発明の吸収性物品の第１の実施形態について図面を参照しながら具体的に説明する。
図１は、本発明の吸収性物品の第１の実施形態としての生理用ナプキンを示す斜視図であり、図２は、図１に示す生理用ナプキンを示す平面図である。
【０００９】
本実施形態の吸収性物品（生理用ナプキン）１は、図１及び図２に示すように、液透過性の肌当接面２と、液不透過性の非肌当接面と、該肌当接面及び該非肌当接面の間に介在された吸収部３とを備え、実質的に縦長に形成されている。
【００１０】
更に詳述すると、上記肌当接面２は液体透過性の表面シート２０により形成されており、上記非肌当接面は液体不透過性の裏面シートにより形成されている。そして、上記表面シート２０と上記裏面シートとが吸収性物品の少なくとも前後端縁において固着されている。
【００１１】
また、上記表面シート２０及び上記裏面シートの左右両側縁部は幅方向外方に延出され、ウイング４０，４０が形成されておいる。このウイング４０，４０の裏面シートの表面には、粘着剤が塗布されてズレ止め部４１，４１が形成されており、このズレ止め部４１，４１は剥離紙（図示せず）により保護されている。
【００１２】
これらの構成については、従来の吸収性物品と同じであり、上記表面シート２０及び上記裏面シートの形成材料、及び上記ズレ止め部４１，４１を形成させる粘着剤としては、通常公知のものを特に制限なく用いることができる。
【００１３】
而して、本形態の生理用ナプキン１は、図１及び図２に示すように、生理用ナプキン１の長手方向中央部１ｃから装着時に装着者の後ろ側に配置される後方部１ｂにかけて、該後方部１ｂの端縁１ｄに近づくに従い該後方部１ｂの側縁１ｅに近接する立体溝５０が形成されており、該立体溝５０は、上記端縁１ｄ及び上記側縁１ｅから離間して配置されている。
【００１４】
更に詳述すると、本実施形態の生理用ナプキン１においては、上記立体溝５０は、左右対称に形成されており、且つ、上記長手方向中央部１ｃにおいて前方へ向けて凸状の凸状部を備えている。また、この立体溝５０は凸状部の後方においては生理用ナプキン１の幅方向内方へ向けて湾曲した弓状に形成されており、上記端縁１ｄに近づくにつれて大きく湾曲し該後方部の端縁に近づくに従い該後方部の側縁に近接しつつ、上記端縁１ｄ及び上記側縁１ｅから離間して配置されている。
上記凸状部は、その曲率半径ｒ１  が５〜２０ｍｍとなるように形成されていることが好ましい。曲率半径ｒ１  が５ｍｍ未満では、凸状部の内側が十分に隆起されずに臀部にフィットせず好ましくなく、２０ｍｍを超えると、隆起部分の幅が広すぎて臀部にフィットし難く、好ましくない。
この様に、上記吸収性物品の長手方向中央部から装着時に装着者の後ろ側に配置される後方部にかけて、上記長手方向中央部１ｃにおいて前方へ向けて凸状の凸状部を備えた立体溝５０を形成させることにより、装着時に後方部が立体溝５０を可撓軸として変形し、立体溝の内側が隆起し、一層臀部の形状にフィットする為、表面を流れる経血が堰き止められ、且つ身体を伝うことなく速やかに吸収されるため、より後ろ漏れし難い吸収性物品が提供できる。
【００１５】
また、これらの立体溝５０の後端５０ｂ，５０ｂと生理用ナプキン１の端縁１ｄとの距離Ｌ２  は１０〜５０ｍｍとなっており、立体溝５０の後端５０ｂ，５０ｂと側縁１ｅ、１ｅとの距離Ｌ３  は５〜３０ｍｍとなっている。立体溝５０は、吸収性物品の隆起・変形を容易にする可撓軸としての機能に加えて、表面を流れた経血を堰き止める働きもあり、Ｌ２  が１０ｍｍ未満、Ｌ３  が５ｍｍ未満になると溝を流れ出た経血がそのまま吸収性物品の外側へ漏れ出る可能性があり好ましくない。
また、上記立体溝５０は、凸状部のすぐ後方よりも後端５０ｂ，５０ｂ近傍においては曲率半径が小さくなる、即ち、後端５０ｂ，５０ｂ近傍において急に側縁１ｅ，１ｅ側へ傾斜するように、例えば、凸状部のすぐ後方における曲率半径は１００ｍｍ以上であり後端５０ｂ，５０ｂ近傍における曲率半径は３０〜１００ｍｍとなるように湾曲形成されているのが好ましい。
このような位置に、このような湾曲率の立体溝５０を形成することにより、より理想的な装着形態をとることができ、生理用ナプキン１の後方部をより幅広く臀部にフィットさせることができる。
【００１６】
また、本実施形態の生理用ナプキン１においては、前方部１ａから中央部１ｃにかけてが装着時に装着者の体液排泄部に当接される排泄部当接部となっており、この排泄部当接部に中央溝６０，６０が左右対称に２本に形成されており、生理用ナプキン１の前方部１ａ及び中央部１ｃが装着時に常に断面アーチ状を形成して股間に良好にフィットされるようになっている。
【００１７】
一対の上記中央溝６０，６０は、平面視で生理用ナプキン１の幅方向内側へ向けて凸型の円弧状に左右対称に形成されている。これらの中央溝６０，６０の生理用ナプキン１の幅方向における最内側部どうしの距離Ｗ1は、２０〜５０ｍｍとなっている。
【００１８】
上記立体溝５０及び中央溝６０，６０は、その深さＤが１〜１０ｍｍであるのが好ましく、３〜８ｍｍであるのがより好ましい。立体溝５０及び中央溝６０，６０の深さＤが１ｍｍ未満では、溝部分での可撓性が得にくく、好ましいフィット性が得られなかったり、表面を流れる体液を堰き止める効果が得難く好ましくなく、１０ｍｍを超えると装着者に違和感を与え好ましくない。
また、生理用ナプキン１の、上記立体溝５０や中央溝６０，６０の形成されている部分における厚さＴ１  の、溝の形成されていない部分における厚さＴ２  に対する比Ｔ１  ／Ｔ２  は、０．０５〜０．７が好ましく、０．１〜０．５がより好ましい。
Ｔ１  ／Ｔ２  が０．０５未満では生理用ナプキン１として好ましい厚さＴ２  を有する生理用ナプキン（生理用ナプキン１の厚さＴ２  は、１．５〜１５ｍｍが好ましく、２〜１０ｍｍがより好ましい。）において、押圧によって立体溝５０及び中央溝６０を形成させた場合に立体溝５０や中央溝６０，６０が硬くなりすぎ、フィット性を損なう場合があり、０．７を超えると、溝が浅すぎて溝部分で好ましい可撓性が得られなかったり体液を堰き止める効果が得難く、好ましくない。
【００１９】
以下、立体溝５０及び中央溝６０，６０の好ましい溝構造について記載する。
上記立体溝５０及び中央溝６０，６０は、図３及び図４に示すように、菱形形状の小溝５０ｄを複数個非連続的に形成させる溝加工を肌当接面２側から所定形状に沿って施し、小溝５０ｄ及び小溝５０ｄ間を連続的に肌当接面２よりも窪ませた２段階の深さに形成されている。このように、小溝５０ｄ及び小溝５０ｄ間を連続的に肌当接面２よりも窪ませ２段階の深さに形成することにより、立体溝５０の深さＤを深く形成しつつ中央溝分の可撓性を高く保持し良好なフィット性を得ることが可能となる。上記小溝５０ｄの大きさは、１〜１００ｍｍ２  とするのが好ましい。１ｍｍ２  より小さいと体液を堰き止める効果が小さく、１００ｍｍ２  を超えると好ましい可撓性が得られなくなる。また、各小溝５０ｄのピッチは、０．５〜５ｍｍとするのが好ましい。０．５ｍｍ未満であると、好ましい可撓性及び肌当たり性が得られず、５ｍｍを超えると小溝５０ｄ間に窪まない部分が生じて漏れ防止効果が小さくなる。
また、小溝５０ｄを非連続的形成させる溝加工において、生理用ナプキン１の、小溝５０ｄ間における厚さＴ３  の、溝の形成されていない部分における厚さＴ２      に対する比Ｔ３  ／Ｔ２  は、体液の堰き止め効果及び装着感から、０．２〜０．８が好ましく、０．３〜０．６がより好ましい。
更に、生理用ナプキン１の、小溝５０ｄの形成されている部分における厚さＴ１  の、小溝５０ｄ間における厚さＴ３  に対する比Ｔ１  ／Ｔ３      は、体液の堰き止め効果及び装着感から０．１〜０．８が好ましく、０．３〜０．７がより好ましい。
上記溝加工は、菱形形状のエンボス凸部を有する所定温度のエンボスロールを通常公知の溝のない生理用ナプキンに肌当接面側から押圧して該生理用ナプキンを厚さ方向に加熱圧縮するものである。
【００２０】
上記吸収部３を構成する材料としては、生理用ナプキン１の厚みＴ２  が１．５〜１５ｍｍとなるよう形成可能であれば、従来公知のフラッフパルプ、吸収紙、高吸収性ポリマー等の材料を特に制限なく用いることができるが、厚みが０．３〜５ｍｍ、好ましくは０．３〜３ｍｍの熱可塑性繊維を含有する吸収シート３０を少なくとも含むものが、立体溝５０及び中央溝６０，６０をより安定した状態に形成・保持させる点で、好ましい。
上記吸収シート３０の厚みが０．３ｍｍ未満であると、シート自体の剛性が小さ過ぎて中央溝６０，６０間に好ましいアーチ形態を形成、維持させることができ難く、また、５ｍｍを超えると、シート剛性が高くなりすぎたり生理用ナプキン１の厚みが厚くなりすぎたりして、装着時における違和感が大きくなる。
そして、該熱可塑性繊維は、吸収シート３０中において相互に結合している方が、体液を吸収した際に熱可塑性繊維が吸収シート３０の形状を安定に保ち、生理用ナプキン１の好ましい装着形態を維持し、また圧力が開放された時にもとの状態に回復し、ヨレずに生理用ナプキン１を安定に保つため、好ましい。
【００２１】
上記熱可塑性繊維としては、加熱する事により互いに繊維どうしが接着するものであれば特に制限されないが、具体的には、ポリエチレン、ポリプロピレン、ポリエステル繊維やポリエチレン−ポリエステル複合繊維、ポリプロピレン−ポリエステル複合繊維等が好ましく使用される。また、熱水に溶解し乾燥させることにより互いに繊維が結合するポリビニルアルコール繊維等も好ましく使用することができる。
【００２２】
また、上記吸収シート３０は、上記熱可塑性繊維のみにより形成されたものでもよいが、フラップパルプ、レーヨンなどの親水性繊維、公知の高吸収性ポリマー等を混合してもよい。これらを混合して用いる際の上記熱可塑性繊維の配合量は、吸収シート３０全体に対して、１〜３０重量％とするのが好ましい。
【００２３】
更に、上記吸収シート３０は、それのみにより上記吸収部３を構成してもよいが、他の吸収シート３０や高吸収性ポリマーや他の吸収部材と併用して用いることもできる。尚、他の吸収シート３０等を併用して用いる場合、上記吸収部３の厚みは、１．５〜１５ｍｍとするのが好ましい。
【００２４】
本形態の生理用ナプキン１は、通常の生理用ナプキンと同様に前方部１ａから中央部１ｃにかけてを股間に配置して装着・使用する。
そして装着時には、前方部１ａから中央部１ｃに、側方から幅方向の力が加えられる。そのため、生理用ナプキン１の前方部１ａ及び中央部１ｃは中央溝６０，６０及び立体溝５０において屈曲し、中央溝６０，６０間及び立体溝５０間が肌当接面側に隆起した断面アーチ状となって、装着者の股間に良好に当接される。
また、生理用ナプキン１の後方部１ｂにおいては立体溝５０が臀部に当接される。そのため、生理用ナプキン１の後方部１ｂは立体溝５０において屈曲して立体溝５０の側外方が装着者の臀部に沿って肌当接面側になだらかに隆起する。
この装着時における生理用ナプキン１の形状は、上記立体溝５０により誘導形成されているため、いかなる装着状態にもかかわらず良好に維持される。
【００２５】
この様に、本実施形態の生理用ナプキン１によると、中央部１ｃにおいては立体溝５０の内側が肌当接面側に隆起して装着者に良好に沿った形状に装着され、良好なフィット性が発揮され、後方部１ｂにおいては、立体溝５０の側外方が肌当接面側に屈曲して装着者の臀部に沿って肌当接面側になだらかに隆起しつつひろがり、後方部１ｂにおいても良好なフィット性が発揮されて漏れが効果的に回避される。
本実施形態の生理用ナプキン１によると、立体溝５０の凸状部の曲率半径ｒ1が５〜２０ｍｍとなっているので、装着時に凸状部の内側が適度に隆起され一層良好なフィット性が発揮される。
本実施形態の生理用ナプキン１によると、後方部１ｂの端縁１ｄには立体溝５０が配設されていないので、生理用ナプキン１の後端５０ｂにおいては立体溝間は隆起しにくく確実に略平面状に保持されて装着者の臀部に沿ってひろがり、後方部１ｂにおける漏れが特に効果的に回避される。
【００２６】
本実施形態の生理用ナプキン１によると、後方部１ｂの端縁１ｄ及び側縁１ｅには立体溝５０が配設されていないので、排泄された体液が該端縁１ｄ及び側縁１ｅから漏れ出難く、後方部１ｂにおける漏れが良好に回避される。
本実施形態の生理用ナプキン１によると、立体溝５０が表面シート２０と吸収体との両方に溝加工を施して形成されているので、表面シート２０が吸収体から浮き上がることがなく、体液が表面シート２０上から漏れ出ることがない。
本実施形態の生理用ナプキン１によると、立体溝５０が肌当接面２側に形成されているので、立体溝５０間が肌当接面側に隆起しやすく、生理用ナプキン１が股間に容易にフィットする。
本実施形態の生理用ナプキン１によると、上記立体溝５０が非連続で複数の小溝を連続させることにより形成されされているので、長手方向において良好な可撓性が確保され、より良好なフィット性により後モレ、前モレを回避可能である。
【００２７】
上記の本形態の生理用ナプキン１は、通常公知の方法で溝のない生理用ナプキンを製造した後、エンボスロール等により、生理用ナプキンの長手方向に沿って生理用ナプキンを圧縮（必要により加熱圧縮）して上記小溝を形成することにより上記立体溝を形成する等して容易に製造することができる。
【００３２】
尚、本発明の吸収性物品は、上述の形態には何ら制限されず、本発明の趣旨を逸脱しない範囲で種々変更が可能である。
【００３４】
更に、立体溝は、上述のように小溝を連結したものでなく、連続して溝加工を施された立体溝とすることもできる。また、上述の実施形態のように長手方向において分割された非連続複数の小溝により形成した場合に、小溝の形状等は特に限定されない。
また、立体溝は、非肌当接面側からの溝加工により形成させることもできるが、立体溝間において容易隆起させ良好なフィット性を得るためには、肌当接面側からの溝加工により形成されたものであることが好ましい。
吸収性物品は、生理用ナプキンの外、失禁者用パッド、おりものシート等とすることもできる。
【００３５】
【発明の効果】
以上説明した様に、本発明の吸収性物品は、装着時におけるフィット性に優れた所定の形状となり、漏れ防止性に優れたものである。
【図面の簡単な説明】
【図１】本発明の吸収性物品としての生理用ナプキンの第１の実施形態を肌当接面側から示す斜視図である。
【図２】図１の生理用ナプキンを非肌当接面側から示す平面図である。
【図３】図１の生理用ナプキンを示す要部拡大平面図である。
【図４】図３のＩ−Ｉ断面図である。
【符号の説明】
１    生理用ナプキン（吸収性物品）
１ａ  前方部
１ｂ  後方部
１ｃ  中央部
１ｄ  端縁
１ｅ  側縁
２    肌当接面
３    吸収部
２０    表面シート
３０    吸収シート
４０    ウイング
４１    ズレ止め部
５０    立体溝
５０ｂ  後端
６０    中央溝
【図１】
0003566012.tif 000002
【図２】
0003566012.tif 000003
【図３】
0003566012.tif 000004
【図４】
0003566012.tif 000005